(57)【要約】  光送受信器は、光送信信号を送信する波長可変送信部と、光受信信号を受信する波長可変受信部と、送信波長と受信波長との複数の組み合わせを記憶する波長テーブルと、波長選択信号が入力される入力端子と、波長選択信号に基づいて波長テーブルから送信波長と受信波長との組み合わせを選択し、選択した送信波長を光送信信号の波長として波長可変送信部に設定する送信波長制御と、選択した受信波長を光受信信号の波長として波長可変受信部に設定する受信波長制御とを行う制御部と、を備える。
2017221878.tif 000002
【特許請求の範囲】
【請求項１】
光送信信号を送信する波長可変送信部と、
光受信信号を受信する波長可変受信部と、
送信波長と受信波長との複数の組み合わせを記憶する波長テーブルと、
波長選択信号が入力される入力端子と、
前記波長選択信号に基づいて前記波長テーブルから前記送信波長と前記受信波長との組み合わせを選択し、選択した前記送信波長を前記光送信信号の波長として前記波長可変送信部に設定する送信波長制御と、選択した前記受信波長を前記光受信信号の波長として前記波長可変受信部に設定する受信波長制御とを行う制御部と、
を備える光送受信器。
【請求項２】
前記波長選択信号は、１つ又は複数の制御パルスとして前記入力端子に入力され、
前記波長テーブルは、前記複数の組み合わせのそれぞれに対して前記制御パルスの数を対応付けて記憶し、
前記制御部は、前記波長選択信号としての前記制御パルスの数に対応する前記送信波長と前記受信波長との組み合わせを前記波長テーブルから選択し、前記送信波長制御及び前記受信波長制御を行う、
請求項１に記載の光送受信器。
【請求項３】
前記波長選択信号は、予め定められた複数の電圧値のうちいずれかの電圧値の制御電圧として前記入力端子に入力され、
前記波長テーブルは、前記複数の組み合わせのそれぞれに対して前記制御電圧の電圧値を対応付けて記憶し、
前記制御部は、前記波長選択信号としての前記制御電圧に対応する前記送信波長と前記受信波長との組み合わせを前記波長テーブルから選択し、前記送信波長制御及び前記受信波長制御を行う、
請求項１に記載の光送受信器。
【請求項４】
前記入力端子には、前記光送信信号の送信及び停止それぞれに対応する電圧値により定められた送信制御信号が入力され、
前記制御部は、前記送信制御信号に応じて、前記波長可変送信部による前記光送信信号の送信を制御する、
請求項２に記載の光送受信器。
【請求項５】
前記入力端子には、前記送信波長と前記受信波長とに対する初期化を指示するリセット信号が、所定の電圧値又は所定数の制御パルスとして入力され、
前記制御部は、前記リセット信号に応じて、前記送信波長と前記受信波長との予め定められた組み合わせを選択し、前記送信波長制御及び前記受信波長制御を行う、
請求項２又は請求項４に記載の光送受信器。
【請求項６】
光送信信号を送信する波長可変送信部と、光受信信号を受信する波長可変受信部と、送信波長と受信波長との複数の組み合わせを記憶する波長テーブルと、波長選択信号が入力される入力端子とを備える光送受信器における制御方法であって、
前記波長選択信号に基づいて前記波長テーブルから前記送信波長と前記受信波長との組み合わせを一つ選択するステップと、
選択した前記送信波長を前記光送信信号の波長として前記波長可変送信部に設定するステップと、
選択した前記受信波長を前記光受信信号の波長として前記波長可変受信部に設定するステップと、
を有する制御方法。
【発明の詳細な説明】
【技術分野】
【０００１】
本発明は、光送受信の技術に関する。
【背景技術】
【０００２】
近年、急速な普及を遂げているＦＴＴＨ（Fiber To The Home）サービスを支える光アクセスシステムとして、ＰＯＮ（Passive Optical Network）システムの導入が世界各国で進められている。ＰＯＮシステムでは、光ファイバ伝送路中に設置された光スプリッタを介して、収容局に設置された１台の終端装置（ＯＬＴ：Optical Line Terminal）が、複数の加入者宅に設置された宅内装置（ＯＮＵ：Optical Network Unit）を収容する。ＰＯＮシステムは、光ファイバ伝送路、光スプリッタ、及びＯＬＴを複数の加入者間で共有することで、高い経済性を実現した光アクセスシステムである。【０００３】
現在、日本では主に１Ｇｂ／ｓの伝送量を有するＧＥ−ＰＯＮ（Gigabit Ethernet-PON）システムが商用導入されている（Ｅｔｈｅｒｎｅｔは登録商標）。また、さらなる高速化を実現する次世代光アクセスシステムとして、１０Ｇｂ／ｓ級の総伝送容量を有する、１０Ｇ−ＥＰＯＮ及びＸＧ−ＰＯＮの標準化が完了し、世界各国でそれらの研究開発が進められている。【０００４】
このような伝送速度の高速化を背景に、１０Ｇｂ／ｓ級ＰＯＮの後継システムとしてＮＧ−ＰＯＮ２の議論が、標準化団体であるＦＳＡＮ（Full Service Access Network）において行われている。ＮＧ−ＰＯＮ２では従来ＰＯＮシステムからの高速化に加えて、アクセスネットワークの高度化を目指している。ＮＧ−ＰＯＮ２として、ＴＷＤＭ（Time and Wavelength Division Multiplexing）−ＰＯＮシステムが検討されている。ＴＷＤＭ−ＰＯＮシステムは、これまでのＰＯＮシステムで用いられてきた時間軸の多重（ＴＤＭ：Time Division Multiplexing）に加えて、光の特性を生かした波長軸の多重（ＷＤＭ：Wavelength Division Multiplexing）を利用することで、収容効率や保守管理などの効率化を図ることが可能となるシステムである。
【先行技術文献】
【非特許文献】
【０００５】
【非特許文献１】S. Kaneko, T. Yoshida, S. Furusawa, M. Sarashina, H. Tamai,A. Suzuki, T. Mukojima, S. Kimura, and N. Yoshimoto, “First λ-tunable dynamic load balancing operation enhanced by 3-msec bidirectional hitless tuning on symmetric 40-Gbit/s WDM/TDM-PON” in proc. OFC’2014, San Francisco CA, Th5A.4, 2014.
【発明の概要】
【発明が解決しようとする課題】
【０００６】
これまでに、ＰＯＮシステムに限らずショートリーチなどをはじめとした光通信システムでは、仕様が共通化された光トランシーバモジュールによる小型化、及び経済化を実現してきた。特に、データセンタソリューションにおいては光トランシーバモジュールの小型化に対する強い要望があるため、小型化に対する技術進展は目覚しいものがある。【０００７】
一方、波長可変トランシーバを用いて、システムの波長可変機能を実現するＴＷＤＭ−ＰＯＮにおいても、光トランシーバモジュールの仕様化及び小型化が求められている。特に、ＯＮＵに搭載するトランシーバはお客様宅内に設置するため、一層の小型化が求められ、１０Ｇモジュールの小型規格であるＳＦＰ＋（Small Form-factor Pluggable +）サイズへの小型化が期待されている。【０００８】
また、モジュールが有するトランシーバ制御端子には限りがあり、ＳＦＰ＋においては空き端子が少ないという課題を有する。このため、ＴＷＤＭ−ＰＯＮに用いる波長可変トランシーバの小型化を実現するには、送受信波長制御に用いる光トランシーバモジュールの端子数をできる限り少なくする必要がある。【０００９】
例えば、波長を４波長から選択可能とするためには、通常、波長設定用の端子として２ピンの端子を設け、この２ピンの端子に印加する電圧を「００」、「０１」、「１０」、「１１」のいずれかに設定する。設定できる波長を８波長に拡張した場合、波長設定用の端子として３ピンの端子が必要になる。更に、送信波長と受信波長とを個別に設定する際、４波長から選択するには端子が備えるべきピンの数は４ピンになり、８波長から選択するには端子が備えるべきピンの数は６ピンになる。【００１０】
上記事情に鑑み、本発明は、光トランシーバモジュールとして用いることができ、送受信する光信号に対する制御に用いる端子数を削減できる光送受信器及び制御方法の提供を目的としている。
【課題を解決するための手段】
【００１１】
本発明の第１の態様における光送受信器は、光送信信号を送信する波長可変送信部と、光受信信号を受信する波長可変受信部と、送信波長と受信波長との複数の組み合わせを記憶する波長テーブルと、波長選択信号が入力される入力端子と、前記波長選択信号に基づいて前記波長テーブルから前記送信波長と前記受信波長との組み合わせを選択し、選択した前記送信波長を前記光送信信号の波長として前記波長可変送信部に設定する送信波長制御と、選択した前記受信波長を前記光受信信号の波長として前記波長可変受信部に設定する受信波長制御とを行う制御部と、を備える。【００１２】
本発明の第２の態様によれば、上記第１の態様の光送受信器において、前記波長選択信号は、１つ又は複数の制御パルスとして前記入力端子に入力され、前記波長テーブルは、前記複数の組み合わせのそれぞれに対して前記制御パルスの数を対応付けて記憶し、前記制御部は、前記波長選択信号としての前記制御パルスの数に対応する前記送信波長と前記受信波長との組み合わせを前記波長テーブルから選択し、前記送信波長制御及び前記受信波長制御を行う。【００１３】
本発明の第３の態様によれば、上記第１の態様の光送受信器において、前記波長選択信号は、予め定められた複数の電圧値のうちいずれかの電圧値の制御電圧として前記入力端子に入力され、前記波長テーブルは、前記複数の組み合わせのそれぞれに対して前記制御電圧の電圧値を対応付けて記憶し、前記制御部は、前記波長選択信号としての前記制御電圧に対応する前記送信波長と前記受信波長との組み合わせを前記波長テーブルから選択し、前記送信波長制御及び前記受信波長制御を行う。【００１４】
本発明の第４の態様によれば、上記第２の態様の光送受信器において、前記入力端子には、前記光送信信号の送信及び停止それぞれに対応する電圧値により定められた送信制御信号が入力され、前記制御部は、前記送信制御信号に応じて、前記波長可変送信部による前記光送信信号の送信を制御する。【００１５】
本発明の第５の態様によれば、上記第２又は第４の態様の光送受信器において、前記入力端子には、前記送信波長と前記受信波長とに対する初期化を指示するリセット信号が、所定の電圧値又は所定数の制御パルスとして入力され、前記制御部は、前記リセット信号に応じて、前記送信波長と前記受信波長との予め定められた組み合わせを選択し、前記送信波長制御及び前記受信波長制御を行う。【００１６】
本発明の第６の態様における制御方法は、光送信信号を送信する波長可変送信部と、光受信信号を受信する波長可変受信部と、送信波長と受信波長との複数の組み合わせを記憶する波長テーブルと、波長選択信号が入力される入力端子とを備える光送受信器における制御方法であって、前記波長選択信号に基づいて前記波長テーブルから前記送信波長と前記受信波長との組み合わせを一つ選択するステップと、選択した前記送信波長を前記光送信信号の波長として前記波長可変送信部に設定するステップと、選択した前記受信波長を前記光受信信号の波長として前記波長可変受信部に設定するステップと、を有する。
【発明の効果】
【００１７】
本発明により、送受信する光信号に対する制御に用いる端子数を削減することが可能となる。
【図面の簡単な説明】
【００１８】
【図１】第１の実施形態に係る光トランシーバモジュールのブロック図である。
【図２】第２の実施形態に係る光トランシーバモジュールの構成を示すブロック図である。
【図３】第２の実施形態において波長選択信号として用いられるパルス信号のパルス数と、送受波長の波長ペアとの関係を示す図である。
【図４】第２の実施形態に係る光トランシーバモジュールにおける波長選択信号と送受の波長設定との関係を示す波形図である。
【図５】第３の実施形態に係る光トランシーバモジュールの構成を示すブロック図である。
【図６】第３の実施形態に係る光トランシーバモジュールにおける波長選択信号と送受の波長設定との関係を示す波形図である。
【図７】第４の実施形態に係る光トランシーバモジュールの構成を示すブロック図である。
【図８】第４の実施形態に係る光トランシーバモジュールにおける波長選択信号と送受の波長設定との関係を示す波形図である。
【図９】第５の実施形態に係る光トランシーバモジュールの構成を示すブロック図である。
【図１０】第５の実施形態において波長選択信号として用いられる波長制御電圧と、送受波長ペアとの関係を示す図である。
【図１１】第６の実施形態に係る光トランシーバモジュールの構成を示すブロック図である。
【図１２】第６の実施形態に係る制御電圧と波長ペアとの関係を示す図である。
【図１３】第６の実施形態に係る制御電圧と波長ペアとの関係を示す図である。
【図１４】第６の実施形態に係る制御電圧と波長ペアとの関係の変形例を示す図である。
【図１５】第６の実施形態に係る制御電圧と波長ペアとの関係の変形例を示す図である。
【図１６】第７の実施形態に係る光トランシーバモジュールの構成を示すブロック図である。
【図１７】第７の実施形態におけるバースト制御信号を示す図である。
【図１８】第７の実施形態における入力端子に入力される信号と光送信信号との関係の一例を示す波形図である。
【図１９】第７の実施形態における入力端子に入力される信号と光送信信号との関係の他の例を示す波形図である。
【図２０】第７の実施形態における光トランシーバモジュールを光送受信装置に適用した場合の構成例を示すブロック図である。
【図２１】第８の実施形態に係る光トランシーバモジュールの構成を示すブロック図である。
【図２２】第８の実施形態における入力端子に入力される信号と光送信信号との関係の一例を示す波形図である。
【図２３】第９の実施形態に係る光トランシーバモジュールの構成を示すブロック図である。
【図２４】第９の実施形態における入力端子に入力される信号と光送信信号との関係の一例を示す波形図である。
【発明を実施するための形態】
【００１９】
［第１の実施形態］
図１は、第１の実施形態に係る光トランシーバモジュール１のブロック図である。図１に示すように、光トランシーバモジュール１は、送受波長制御部１０と、波長可変送信部１１と、波長可変受信部１２と、送受信波長合分波部１３と、入力端子１５とを備えている。送受波長制御部１０には入力端子１５が接続されている。
【００２０】
入力端子１５には、波長選択信号が供給される。送受波長制御部１０は、入力端子１５からの波長選択信号に基づいて、波長可変送信部１１から送信する光送信信号の波長（送信波長）及び波長可変受信部１２で受信する光受信信号の波長（受信波長）を制御する。
【００２１】
波長可変送信部１１は、送信する電気信号を光送信信号に変換して、送受信波長合分波部１３を介して、光ファイバ１６に出力する。波長可変送信部１１は、送受波長制御部１０の制御の下に、光ファイバ１６に送信する光送信信号の波長を任意の値に設定可能である。
【００２２】
波長可変受信部１２は、送受信波長合分波部１３を介して光ファイバ１６から受信した光受信信号を電気信号に変換して出力する。波長可変受信部１２は、送受波長制御部１０の制御の下に、光ファイバ１６から受信する光受信信号の波長を任意の値に設定可能である。
【００２３】
送受信波長合分波部１３は、波長可変送信部１１から出力される光送信信号を合波し、光ファイバ１６を介して他の装置へ送信する。また、送受信波長合分波部１３は、光ファイバ１６を介して波長分割多重により伝送されてきた光受信信号を、波長可変受信部１２に出力する。
【００２４】
このように、第１の実施形態に係る光トランシーバモジュール１では、入力端子１５に入力する波長選択信号により、波長可変送信部１１の送信波長及び波長可変受信部１２の受信波長を設定することができる。光トランシーバモジュール１では、送信波長及び受信波長を固定の波長ペアとして設定することで、入力端子１５に備えられる１ピンに入力される波長選択信号により送信波長及び受信波長が設定できる。
【００２５】
［第２の実施形態］
図２は、第２の実施形態に係る光トランシーバモジュール１０１の構成を示すブロック図である。図２に示すように、光トランシーバモジュール１０１は、送受波長制御部１１０と、波長可変送信部１１１と、波長可変受信部１１２と、送受信波長合分波部１１３と、入力端子１１５と、波長制御パルスカウント部１２１とを備えている。波長可変送信部１１１、波長可変受信部１１２、送受信波長合分波部１１３は、図１における波長可変送信部１１、波長可変受信部１２、及び送受信波長合分波部１３と同様である。また、光ファイバ１１６は、図１における光ファイバ１６と同様である。
【００２６】
波長制御パルスカウント部１２１には、入力端子１１５から、波長選択信号としてパルス信号が供給される。波長選択信号として用いられるパルス信号のパルス数は、送受波長の波長ペアに対応している。
【００２７】
図３は、波長選択信号として用いられるパルス信号のパルス数と、送受波長の波長ペアとの関係を示す図である。図３に示すように、パルス数「１」は波長ペア（λｓ１，λｒ１）に対応し、パルス数「２」は波長ペア（λｓ２，λｒ２）に対応し、パルス数「３」は波長ペア（λｓ３，λｒ３）に対応し、パルス数「４」は波長ペア（λｓ４，λｒ４）に対応する。なお、以下の説明で、λｓｎ（ｎは任意の整数）は送信波長を示し、λｒｎ（ｎは任意の整数）は受信波長を示す。すなわち、複数の波長ペアのそれぞれに対してパルス数が対応付けられた波長テーブルが予め定められている。波長ペアを一意に選択できるように、異なるパルス数が波長ペアに対応付けられている。光トランシーバモジュール１０１は、図３に示す波長テーブルを備えてもよい。あるいは、送受波長制御部１１０は、図３に示す波長テーブルを記憶していてもよい。
【００２８】
入力端子１１５に波長選択信号が供給されると、波長制御パルスカウント部１２１で波長選択信号のパルス数がカウントされる。送受波長制御部１１０は、波長制御パルスカウント部１２１でカウントされた波長選択信号のパルス数に応じて、波長可変送信部１１１及び波長可変受信部１１２の波長を設定する。
【００２９】
例えば、入力端子１１５からの波長選択信号のパルス数が「１」なら、送受波長制御部１１０は、図３に示す波長テーブルの対応関係に基づいて、波長可変送信部１１１の送信波長をλｓ１に設定し、波長可変受信部１１２の受信波長をλｒ１に設定する。また、入力端子１１５からの波長選択信号のパルス数が「３」なら、送受波長制御部１１０は、波長テーブルの対応関係に基づいて、波長可変送信部１１１の送信波長をλｓ３に設定し、波長可変受信部１１２の受信波長をλｒ３に設定する。
【００３０】
図４は、第２の実施形態に係る光トランシーバモジュール１０１における波長選択信号と送受の波長設定との関係を示す波形図である。図４において、横軸は時間を示し、縦軸は入力端子１１５から入力される波長選択信号の電圧を示す。
【００３１】
入力端子１１５には、波長選択信号として波長制御用のパルス信号が供給される。この波長制御用のパルス信号のパルス数が波長制御パルスカウント部１２１で計測される。図４に示すように、時刻ｔ１で、波長制御パルスカウント部１２１で、パルス数が「３」だけカウントされたとする。この場合、送受波長制御部１１０は、図３に示す対応関係に基づいて、送受信波長を波長ペア（λｓ３，λｒ３）に設定する。時刻ｔ２で、入力端子１１５からの波長選択信号として、波長制御パルスカウント部１２１で、パルス数が「１」だけカウントされたとする。この場合、送受波長制御部１１０は、図３に示す対応関係に基づいて、送受信波長を波長ペア（λｓ１，λｒ１）に設定する。
【００３２】
以上説明したように、第２の実施形態に係る光トランシーバモジュール１０１では、入力端子１１５には、送受の波長選択信号として、波長制御用のパルス信号が供給され、この波長制御用のパルス信号のパルス数は、送受信波長の波長ペアとを対応付けられている。光トランシーバモジュール１０１は、入力端子１１５に備えられる１ピンに入力される波長選択信号により、送信波長と受信波長とを設定できる。波長ペアを選択するためにパルス数をカウントする動作は、デジタル制御において扱い易いため、光トランシーバモジュール１０１の設計及び実装が容易になる。
【００３３】
［第３の実施形態］
図５は、第３の実施形態に係る光トランシーバモジュール２０１の構成を示すブロック図である。図５に示すように、光トランシーバモジュール２０１は、送受波長制御部２１０と、波長可変送信部２１１と、入力端子２１５と、波長可変受信部２１２と、送受信波長合分波部２１３と、波長制御パルスカウント部２２１と、リセット電圧検出部２２２とを備えている。波長可変送信部２１１、波長可変受信部２１２、及び送受信波長合分波部２１３は、図１における波長可変送信部１１、波長可変受信部１２、及び送受信波長合分波部１３と同様である。光ファイバ２１６は、図１における光ファイバ１６と同様である。
【００３４】
入力端子２１５は、リセット信号と波長選択信号との入力に用いられる共通の端子である。また、リセット信号は、所定の電圧を有するリセット用の制御信号である。また、波長選択信号として用いられるパルス信号のパルス数は、送受波長の波長ペアに対応している。
【００３５】
図６は、第３の実施形態に係る光トランシーバモジュール２０１における波長選択信号と送受の波長設定との関係を示す波形図である。図６において、横軸は時間を示し、縦軸は入力端子２１５から入力される信号の電圧を示す。
【００３６】
入力端子２１５には、波長選択信号として、波長制御用のパルス信号が供給される。この波長制御用のパルス信号のパルス数が波長制御パルスカウント部２２１で計測される。また、入力端子２１５には、リセット用の所定電圧の制御信号が供給される。このリセット用の所定電圧の制御信号がリセット電圧検出部２２２で検出される。
【００３７】
図６に示すように、時刻ｔ１１で、入力端子２１５に、波長制御用のパルス信号が「３」パルス供給されたとすると、波長制御パルスカウント部２２１で、パルス数「３」がカウントされる。波長制御パルスカウント部２２１で、パルス数「３」がカウントされると、送受波長制御部２１０は、送受信波長を波長ペア（λｓ３，λｒ３）に設定する。時刻ｔ１２で、入力端子２１５からリセット用の所定電圧の制御信号が供給されたとすると、この波長リセット用の所定電圧の制御信号がリセット電圧検出部２２２で検出される。リセット電圧検出部２２２でリセット用の所定電圧の制御信号が検出されると、送受波長制御部２１０は、送受信波長を波長ペア（λｓ１，λｒ１）にリセットする。リセット（初期化）とは、予め定められた波長ペアを送信波長及び受信波長に設定する動作である。
【００３８】
以上説明したように、第３の実施形態に係る光トランシーバモジュール２０１では、入力端子２１５には、送受の波長選択信号として、パルス信号が供給される。また、入力端子２１５には、リセット用の所定電圧の制御信号も供給される。このように、リセット信号と波長選択信号との入力に同じ入力端子２１５が用いられる。これにより、端子数を増やすことなく、リセット信号と波長選択信号とを光トランシーバモジュール２０１に入力できるので、光トランシーバモジュール２０１に設ける入力端子２１５のピン数を更に削減できる。
【００３９】
［第４の実施形態］
図７は、第４の実施形態に係る光トランシーバモジュール３０１の構成を示すブロック図である。図７に示すように、光トランシーバモジュール３０１は、送受波長制御部３１０と、波長可変送信部３１１と、波長可変受信部３１２と、送受信波長合分波部３１３と、入力端子３１５と、波長制御パルスカウント部３２１と、リセットパルス検出部３２２とを備えている。送受波長制御部３１０、波長可変送信部３１１、波長可変受信部３１２、及び送受信波長合分波部３１３は、図１における送受波長制御部１０、波長可変送信部１１、波長可変受信部１２、及び送受信波長合分波部１３と同様である。光ファイバ３１６は、図１における光ファイバ１６と同様である。
【００４０】
入力端子３１５は、リセット信号と波長選択信号との入力に用いられる共通の端子である。また、リセット信号は、所定のパルス数を有するパルス信号である。また、波長選択信号として用いられるパルス信号のパルス数は、図３に示した波長テーブルにおける送受波長の波長ペアに対応している。
【００４１】
図８は、第４の実施形態に係る光トランシーバモジュール３０１における波長選択信号と送受の波長設定との関係を示す波形図である。図８において、横軸は時間を示し、縦軸は入力端子３１５から入力される信号の電圧を示す。
【００４２】
入力端子３１５には、波長選択信号として、波長制御用のパルス信号が供給される。この波長制御用のパルス信号のパルス数が波長制御パルスカウント部３２１で計測される。また、入力端子３１５には、波長リセット用のパルス信号が供給される。この波長リセット用のパルス信号がリセットパルス検出部３２２で検出される。
【００４３】
図８に示すように、時刻ｔ２１で、入力端子３１５に、波長制御用のパルス信号が「３」パルス供給されたとすると、波長制御パルスカウント部３２１で、パルス数「３」がカウントされる。波長制御パルスカウント部３２１で、パルス数「３」がカウントされると、送受波長制御部３１０は、送受信波長を波長ペア（λｓ３，λｒ３）に設定する。時刻ｔ２２で、入力端子３１５から波長リセット用のパルス信号が供給されたとすると、この波長リセット用のパルス信号がリセットパルス検出部３２２で検出される。リセットパルス検出部３２２でリセット用のパルス信号が検出されると、送受波長制御部３１０は、送受信波長を波長ペア（λｓ１，λｒ１）にリセットする。
【００４４】
以上説明したように、第４の実施形態に係る光トランシーバモジュール３０１では、入力端子３１５には、送受の波長選択信号として、パルス信号が供給される。また、入力端子３１５には、リセット用の所定パルス数のパルス信号も供給される。このように、リセット信号と波長選択信号との入力に同じ入力端子３１５が用いられる。これにより、端子数を増やすことなく、リセット信号と波長選択信号とを光トランシーバモジュール３０１に入力できるので、光トランシーバモジュール３０１に設ける入力端子３１５のピン数を更に削減できる。
【００４５】
［第５の実施形態］
図９は、第５の実施形態に係る光トランシーバモジュール４０１の構成を示すブロック図である。図９に示すように、光トランシーバモジュール４０１は、送受波長制御部４１０と、波長可変送信部４１１と、波長可変受信部４１２と、送受信波長合分波部４１３と、入力端子４１５と、波長制御電圧判定部４２１とを備えている。波長可変送信部４１１、波長可変受信部４１２、及び送受信波長合分波部４１３は、図１における波長可変送信部１１、波長可変受信部１２、及び送受信波長合分波部１３と同様である。また、光ファイバ４１６は、図１における光ファイバ１６と同様である。
【００４６】
波長制御電圧判定部４２１には、入力端子４１５から、波長選択信号として波長制御電圧が供給される。波長選択信号として用いられる波長制御電圧の値は、波長ペアに対応している。
【００４７】
図１０は、波長選択信号として用いられる波長制御電圧と、送受波長ペアとの関係を示す図である。図１０に示すように、制御電圧Ｖ１は波長ペア（λｓ１，λｒ１）に対応し、制御電圧Ｖ２は波長ペア（λｓ２，λｒ２）に対応し、制御電圧Ｖ３は波長ペア（λｓ３，λｒ３）に対応し、制御電圧Ｖ４は波長ペア（λｓ４，λｒ４）に対応する。すなわち、複数の波長ペアのそれぞれに対して制御電圧値が対応付けられた波長テーブルが予め定められている。波長ペアを一意に選択できるように、異なる制御電圧値が波長ペアに対応付けられている。光トランシーバモジュール４０１は、図１０に示す波長テーブルを備えてもよい。あるいは、送受波長制御部４１０は、図１０に示す波長テーブルを記憶してもよい。
【００４８】
入力端子４１５に波長選択信号が供給されると、波長制御電圧判定部４２１で波長選択信号として供給される波長制御電圧の電圧値が計測される。送受波長制御部４１０は、波長制御電圧の電圧値に応じて、送受信波長を設定する。
【００４９】
例えば、入力端子４１５からの波長選択信号の電圧値が「Ｖ１」なら、送受波長制御部４１０は、図１０に示す波長テーブルの対応関係に基づいて、送受信波長を波長ペア（λｓ１，λｒ１）に設定する。また、入力端子４１５からの波長選択信号の電圧値が「Ｖ３」なら、送受波長制御部４１０は、波長テーブルの対応関係に基づいて、送受信波長を波長ペア（λｓ３，λｒ３）に設定する。
【００５０】
以上説明したように、第５の実施形態に係る光トランシーバモジュール４０１では、入力端子４１５には、送受の波長選択信号として、波長制御用の制御電圧が供給される。この波長制御用の制御電圧の電圧値は、送受信の波長ペアと対応付けられている。光トランシーバモジュール４０１は、入力端子４１５に備えられる１ピンに入力される波長選択信号により、送信波長と受信波長とを設定できる。波長制御電圧判定部４２１における電圧の測定は比較的短時間で行えるため、光トランシーバモジュール４０１は、波長選択信号に対する即応性を向上できる。
【００５１】
［第６の実施形態］
図１１は、第６の実施形態に係る光トランシーバモジュール５０１の構成を示すブロック図である。図１１に示すように、光トランシーバモジュール５０１は、送受波長制御部５１０と、波長可変送信部５１１と、波長可変受信部５１２と、送受信波長合分波部５１３と、入力端子５１５と、波長制御電圧判定部５２１と、送受波長選択テーブル５２２とを備えている。波長可変送信部５１１、波長可変受信部５１２、及び送受信波長合分波部５１３は、図１における波長可変送信部１１、波長可変受信部１２、及び送受信波長合分波部１３と同様である。また、光ファイバ５１６は、図１における光ファイバ１６と同様である。
【００５２】
波長制御電圧判定部５２１には、入力端子５１５から、波長選択信号として波長制御電圧が供給される。波長選択信号として用いられる波長制御電圧の値は、波長ペアに対応している。送受波長選択テーブル５２２は、光トランシーバモジュール５０１に備えられてもよいし、外部に接続されてもよい。
【００５３】
図１２及び図１３は、制御電圧と波長ペアとの関係を示す図である。図１２に示すように、制御電圧が「０」から「Ｔ／４」（Ｔは最大制御電圧）は、波長ペア（λｓ１，λｒ１）の制御電圧とされる。制御電圧が「Ｔ／４」から「２Ｔ／４」は、波長ペア（λｓ２，λｒ２）の制御電圧とされる。制御電圧が「２Ｔ／４」から「３Ｔ／４」は、波長ペア（λｓ３，λｒ３）の制御電圧とされる。制御電圧が「３Ｔ／４」から「Ｔ」は、波長ペア（λｓ４，λｒ４）の制御電圧とされる。図１３に示すように、各波長ペアに設定するための制御電圧と波長との関係を、波長テーブルとしての送受波長選択テーブル５２２に予め書き込んでおく。
【００５４】
入力端子５１５に波長選択信号が供給されると、波長制御電圧判定部５２１で、波長選択信号の制御電圧が検出される。この検出電圧から、図１３に示すような関係が記憶された送受波長選択テーブル５２２を参照して、送受波長の波長ペアが決定される。
【００５５】
例えば、波長選択信号の入力端子５１５からの制御電圧の値が「０」から「Ｔ／４」の範囲内であったとする。この場合、送受波長制御部５１０は、送受波長選択テーブル５２２を参照することで、送受信波長を波長ペア（λｓ１，λｒ１）に設定する。また、波長選択信号の入力端子５１５からの制御電圧の値が「２Ｔ／４」から「３Ｔ／４」の範囲内であったとする。この場合、送受波長制御部５１０は、送受波長選択テーブル５２２を参照することで、送受信波長を波長ペア（λｓ３，λｒ３）に設定する。
【００５６】
なお、制御電圧に対する波長ペアとの対応関係は、離散的に設定されても良いし、連続的に設定されても良い。図１４及び図１５は、制御電圧と波長ペアとの関係の変形例を示す図である。図１２の例では制御電圧の範囲は連続的に設定されているが、図１４に示されるように制御電圧は離散的に設定され、制御電圧と波長ペアとが関係付けられてもよい。
【００５７】
また、制御電圧が「０」のときの波長ペアが決められていてもよい。すなわち、図１３の例では、所定の制御電圧が波長選択信号として印加された状態に対応して、波長ペアが設定される関係となっている。これに対して、図１５に示す例では、制御電圧が「０」のとき、すなわち、波長選択信号が印加されないときの波長ペアが決められている。このように、制御電圧が「０」のときの波長が決められておくことにより、波長選択信号が印加されないときに、波長ペアが不定になることを回避できる。また、設定波長のリセットを容易に行うことが可能となる。
【００５８】
以上説明したように、第６の実施形態に係る光トランシーバモジュール５０１では、入力端子５１５には、送受波長の波長ペアと対応する制御電圧が用いられる。送受波長選択テーブル５２２には、制御電圧と波長ペアとの関係が予め記憶される。光トランシーバモジュール５０１は、入力端子５１５に備えられる１ピンに入力される波長選択信号により、送信波長と受信波長とを設定できる。波長制御電圧判定部５２１における電圧の測定は比較的短時間で行えるため、光トランシーバモジュール５０１は、波長選択信号に対する即応性を向上できる。
【００５９】
［第７の実施形態］
図１６は、第７の実施形態に係る光トランシーバモジュール６０１の構成を示すブロック図である。光トランシーバモジュール６０１は、制御部６１０、波長可変送信部６１１、波長可変受信部６１２、送受信波長合分波部６１３、入力端子６１５、波長制御パルスカウント部６２１、及びバースト制御電圧検出部６２２を備える。光トランシーバモジュール６０１は、入力端子６１５に入力される信号に応じて、光送信信号の波長と光受信信号の波長とを切り替えるだけでなく、光送信信号の出力と停止とを切り替える。光トランシーバモジュール６０１は、送信波長及び受信波長の切り替えを指示する波長選択信号と、光送信信号の出力と停止とを切り替える送信制御信号としてのバースト制御信号とが入力端子６１５に入力される。
【００６０】
光トランシーバモジュール６０１は、送受信波長合分波部６１３に接続された光ファイバ６１６を介して他の装置と光信号の送受信を行う。波長可変送信部６１１、波長可変受信部６１２及び送受信波長合分波部６１３は、第１の実施形態における波長可変送信部１１、波長可変受信部１２及び送受信波長合分波部１３と同じ動作を行う。光ファイバ６１６は、図１における光ファイバ１６と同様である。
【００６１】
入力端子６１５は、１ピンを備える端子である。入力端子６１５に入力される信号は、波長制御パルスカウント部６２１とバースト制御電圧検出部６２２とへ供給される。
【００６２】
波長制御パルスカウント部６２１は、入力端子６１５に入力される信号における制御パルスの数をカウントする。波長制御パルスカウント部６２１は、カウントしたパルス数を示す信号を制御部６１０へ出力する。波長制御パルスカウント部６２１は、予め定められたパルス幅及び電圧値を有するパルスをカウントの対象とする。波長制御パルスカウント部６２１は、予め定められたパルス幅及び電圧値のパルスを検出したときに、パルス数のカウントを開始してもよい。入力端子６１５に入力される信号の電圧値が予め定められた期間に亘り一定である場合、波長制御パルスカウント部６２１は、カウント対象のパルスの入力が終了したと判定してもよい。
【００６３】
バースト制御電圧検出部６２２は、入力端子６１５に入力される信号における電圧値を測定し、測定結果に基づいてバースト制御信号が入力されているか否かを判定する。バースト制御信号には、バーストイネイブル信号とバーストディスエイブル信号とがある。
【００６４】
図１７は、第７の実施形態におけるバースト制御信号を示す図である。バーストイネイブル信号は、制御電圧値がハイ・レベルである場合に光送信信号の出力（ＯＮ）を指示し、制御電圧値がロー・レベルである場合に光送信信号の停止（ＯＦＦ）を指示する信号である。バーストディスエイブル信号は、制御電圧値がハイ・レベルである場合に光送信信号の停止（ＯＦＦ）を指示し、制御電圧値がロー・レベルである場合に光送信信号の出力（ＯＮ）を指示する信号である。光トランシーバモジュール６０１において、バーストイネイブル信号とバーストディスエイブル信号とのうち予め定められた一方の信号がバースト制御信号に用いられる。
【００６５】
制御電圧におけるハイ・レベルとロー・レベルとの電圧値は、予め定められた電圧値であり、バースト制御電圧検出部６２２がハイ・レベルとロー・レベルとを区別できる電圧値であればよい。バースト制御信号におけるハイ・レベル及びロー・レベルの電圧値は、波長選択信号における制御パルスで使用される電圧値の上限値と下限値と同じであってもよいし、異なっていてもよい。バースト制御信号におけるハイ・レベルに対して制御パルスの電圧の上限値よりも高い電圧を割り当てることにより、バースト制御電圧検出部６２２は、バースト制御信号と波長選択信号との区別を容易に行える。
【００６６】
バースト制御電圧検出部６２２は、電圧値の測定結果に基づいて、光送信信号の出力を指示されているか否かを判定する。バースト制御電圧検出部６２２は、光送信信号の出力が指示されていると判定した場合に、光送信信号の送信を指示する信号を制御部６１０へ出力する。バースト制御電圧検出部６２２は、光送信信号の出力が指示されていないと判定した場合に、光送信信号の停止を指示する信号を制御部６１０へ出力する。
【００６７】
バースト制御電圧検出部６２２は、波長制御パルスカウント部６２１がカウント対象のパルスの入力が終了したと判定した後に、光送信信号の出力を指示されているか否かの判定を行うようにしてもよい。このように判定を行うことにより、制御パルスが入力されている期間において、バースト制御電圧検出部６２２が制御部６１０へ信号を出力することを防ぎ、光送信信号の送信に対する制御を安定させることができる。
【００６８】
制御部６１０は、波長制御パルスカウント部６２１から入力される信号に基づいて、波長ペアを選択する。波長ペアは、波長可変送信部６１１が出力する光送信信号の送信波長と、波長可変受信部６１２が受信する光受信信号の受信波長との組み合わせである。制御部６１０は、第２の実施形態の送受波長制御部１１０と同様に、パルス数と波長ペアとの対応を示す波長テーブル（図３）を備える。なお、波長テーブルは、制御部６１０の外部に備えられてもよい。制御部６１０は、入力される信号が示すパルス数に対応付けられた波長ペアを波長テーブルから選択する。制御部６１０は、送信波長制御を行い、設定した送信波長を有する光送信信号を波長可変送信部６１１に送信させる。送信波長制御は、制御部６１０が、選択した波長ペアに含まれる送信波長を光送信信号の波長として波長可変送信部６１１に設定する制御である。制御部６１０は、受信波長制御を行い、設定した受信波長を有する光受信信号を波長可変受信部６１２に受信させる。受信波長制御は、制御部６１０が、選択した波長ペアに含まれる受信波長を光受信信号の波長として波長可変受信部６１２に設定する制御である。
【００６９】
制御部６１０は、バースト制御電圧検出部６２２から出力される信号に基づいて、波長可変送信部６１１による光送信信号の出力と停止とを切り替える制御を行う。制御部６１０は、光送信信号の送信を指示する信号がバースト制御電圧検出部６２２から出力されている場合、波長可変送信部６１１に光送信信号を出力させる。制御部６１０は、光送信信号の停止を指示する信号がバースト制御電圧検出部６２２から出力されている場合、波長可変送信部６１１に光送信信号の出力を停止させる。制御部６１０は、光送信信号の送信を指示する信号がバースト制御電圧検出部６２２から出力されていない場合においても、波長可変送信部６１１に光送信信号の出力を停止させてもよい。
【００７０】
図１８は、第７の実施形態における入力端子６１５に入力される信号と光送信信号との関係の一例を示す波形図である。図１８において、縦軸は入力端子６１５に入力される信号の電圧と、光トランシーバモジュール６０１から出力される光送信信号の出力パワーとを示す。横軸は時間を示す。図１８に示す例は、バーストイネイブル信号がバースト制御信号として用いられている例である。
【００７１】
時刻ｔ７１から時刻ｔ７２までの期間において、入力端子６１５に３つの制御パルスが入力される。波長制御パルスカウント部６２１は、入力端子６１５に入力される信号における制御パルスの数をカウントし、パルス数（３）を示す信号を制御部６１０へ出力する。制御部６１０は、信号が示すパルス数（３）に対応する波長ペア（λｓ３，λｒ３）を波長テーブルから選択する。制御部６１０は、波長λｓ３を送信波長として波長可変送信部６１１に設定し、波長λｒ３を受信波長として波長可変受信部６１２に設定する。
【００７２】
制御パルスの入力が完了した後の時刻ｔ７３において、ハイ・レベルの制御電圧が入力端子６１５に入力される。バースト制御電圧検出部６２２は、入力端子６１５から入力される信号の電圧値がハイ・レベルであると判定し、光送信信号の送信を指示する信号を制御部６１０へ出力する。制御部６１０は、バースト制御電圧検出部６２２から出力される信号に応じて、波長可変送信部６１１に送信波長λｓ３を有する光送信信号を出力させる。
【００７３】
時刻ｔ７４において、ロー・レベルの制御電圧が入力端子６１５に入力される。バースト制御電圧検出部６２２は、入力端子６１５から入力される信号の電圧値がロー・レベルであると判定し、光送信信号の停止を指示する信号を制御部６１０へ出力する。制御部６１０は、バースト制御電圧検出部６２２から出力される信号に応じて、波長可変送信部６１１に光送信信号の出力を停止させる。
【００７４】
時刻ｔ７５、ｔ７６においても、時刻ｔ７３、ｔ７４と同様に、バースト制御電圧検出部６２２と制御部６１０と波長可変送信部６１１とが動作する。
【００７５】
時刻ｔ７７において、入力端子６１５に１つの制御パルスが入力される。波長制御パルスカウント部６２１は、カウントしたパルス数（１）を示す信号を制御部６１０へ出力する。制御部６１０は、信号が示すパルス数（１）と波長テーブルとに基づいて、波長ペア（λｓ１，λｒ１）を選択する。制御部６１０は、波長λｓ３を送信波長として波長可変送信部６１１に設定し、波長λｒ３を受信波長として波長可変受信部６１２に設定する。以降、波長可変送信部６１１と波長可変受信部６１２とは、設定された波長（λｓ１，λｒ１）の光信号の送受信を行う。
【００７６】
図１９は、第７の実施形態における入力端子６１５に入力される信号と光送信信号との関係の一例を示す波形図である。図１９において、縦軸は入力端子６１５に入力される信号の電圧と、光トランシーバモジュール６０１から出力される光送信信号の出力パワーとを示す。横軸は時間を示す。図１９に示す例は、図１８に示した例と異なり、バーストディスエイブル信号がバースト制御信号として用いられている例である。波長制御用パルスによる波長ペアの設定が完了した時刻ｔ７２以降において、入力端子６１５に入力される信号の電圧値の変化は、図１８に示した波形を論理反転した波形になっている。すなわち、図１９に示す例では、入力端子６１５に入力される信号は、バーストイネイブル信号がバースト制御信号に用いられた場合の信号を論理反転した信号となる。時刻ｔ７２から時刻ｔ７７までの期間におけるバースト制御電圧検出部６２２と制御部６１０と波長可変送信部６１１との動作は、図１８において説明した動作と同様である。
【００７７】
光トランシーバモジュール６０１によれば、入力端子６１５に備えられる１つのピンに、波長選択信号とバースト制御信号とを供給することができる。送信波長及び受信波長の選択と光送信信号の送信タイミングの制御とに使用するピン数が削減され、光トランシーバモジュール６０１の更なる小型化が図れる。
【００７８】
図２０は、第７の実施形態における光トランシーバモジュール６０１を光送受信装置に適用した場合の構成例を示すブロック図である。光トランシーバモジュール６０１は、ＭＡＣ（Media Access Control）処理部６５０に接続される。ＭＡＣ処理部６５０は、光トランシーバモジュール６０１が光ファイバ６１６を介して送信する光送信信号の出力制御や、光信号の送受信において用いられるフレーム構成と外部装置で用いられるデータ構成との変換、誤り検出、誤り訂正などを行う。
【００７９】
ＭＡＣ処理部６５０は、外部装置から供給される入力データを、光送信信号において用いられるフレーム構成に変換し、変換により得られた電気信号を波長可変送信部６１１へ供給する。ＭＡＣ処理部６５０は、波長可変受信部６１２から出力される電気信号を取得し、電気信号が自装置宛の信号であるか否かを判定する。電気信号が自装置宛の信号である場合、ＭＡＣ処理部６５０は、電気信号に含まれるデータを外部装置において用いられるフレーム構成に変換し、変換により得られた電気信号を外部装置へ供給する。自装置に対する送信波長及び受信波長を指示するデータが電気信号に含まれている場合、ＭＡＣ処理部６５０は、データが指示する波長ペアに応じた波長選択信号を入力端子６１５へ供給する。電気信号に光送信信号を送信するタイミングを指示するデータが含まれている場合、ＭＡＣ処理部６５０は、データが指示する時刻及び期間にバースト制御信号を入力端子６１５へ供給する。
【００８０】
図２０に示す光送受信装置は、光ファイバ６１６を介して上位装置から通知される波長ペアに基づいて、波長可変送信部６１１の送信波長及び波長可変受信部６１２の受信波長をそれぞれ設定できる。光送受信装置は、上位装置から通知される送信タイミングに従って光送信信号を送信できる。光トランシーバモジュール６０１とＭＡＣ処理部６５０とを組み合わせて用いることにより、光送受信装置は、送受信の制御に対して入力ピンを追加することなく、上位装置の制御に従って光信号を送受信できる。
【００８１】
なお、第１から第６の実施形態における光トランシーバモジュール１、１０１、２０１、３０１、４０１、５０１に対して、図２０に示したＭＡＣ処理部６５０を接続して光送受信装置に用いてもよい。ＭＡＣ処理部６５０と第１から第６の実施形態のいずれかにおける光トランシーバモジュールとを組み合わせることにより、上位装置から指示される送信波長及び受信波長を用いた光信号を送受信できる。
【００８２】
［第８の実施形態］
図２１は、第８の実施形態に係る光トランシーバモジュール７０１の構成を示すブロック図である。光トランシーバモジュール７０１は、制御部７１０、波長可変送信部７１１、波長可変受信部７１２、送受信波長合分波部７１３、波長制御パルスカウント部７２１及び電圧判定部７２２を備える。光トランシーバモジュール７０１は、第７の実施形態における光トランシーバモジュール６０１と同様に、入力端子７１５に入力されるバースト制御信号に応じて光送信信号の出力と停止とを切り替える。光トランシーバモジュール７０１は、第３の実施形態における光トランシーバモジュール２０１に、バースト制御信号による制御を加えた構成を有する。
【００８３】
波長可変送信部７１１、波長可変受信部７１２及び送受信波長合分波部７１３は、第１の実施形態における波長可変送信部１１、波長可変受信部１２、及び送受信波長合分波部１３と同じ動作を行う。光ファイバ７１６は、図１における光ファイバ１６と同様である。波長制御パルスカウント部７２１は、第７の実施形態における波長制御パルスカウント部６２１と同じ動作を行う。
【００８４】
入力端子７１５は、１ピンを備える端子である。入力端子７１５に入力される信号は、波長制御パルスカウント部７２１と電圧判定部７２２とへ供給される。
【００８５】
電圧判定部７２２は、入力端子６１５に入力される信号における電圧値を測定し、測定結果に基づいてリセット信号又はバースト制御信号が入力されているか否かを判定する。電圧判定部７２２は、予め定められたハイ・レベルの電圧が信号に検出された場合、バースト制御信号が入力されていると判定する。電圧判定部７２２は、ハイ・レベルの電圧が検出された場合、光送信信号の出力を指示されていると判定し、光送信信号の送信を指示する信号を制御部７１０へ出力する。電圧判定部７２２は、予め定められたロー・レベルの電圧が信号に検出された場合、光送信信号の出力が指示されていないと判定し、光送信信号の停止を指示する信号を制御部７１０へ出力する。電圧判定部７２２は、予め定められたリセット・レベルの電圧が信号に検出された場合、リセット信号が入力されていると判定し、波長ペアのリセットを指示する信号を制御部７１０へ出力する。波長ペアのリセット（初期化）とは、波長ペアの初期値として予め定められた送信波長及び受信波長の組み合わせを用いて、送信波長及び受信波長を設定することである。
【００８６】
制御部７１０は、波長制御パルスカウント部７２１から入力される信号に基づいて、波長ペアを選択する。制御部７１０は、第７の実施形態の制御部６１０と同様に、パルス数と波長ペアとの対応を示す波長テーブル（図３）を備える。なお、波長テーブルは、制御部７１０の外部に備えられてもよい。制御部７１０は、入力される信号が示すパルス数に対応付けられた波長ペアを、波長テーブルから選択し、送信波長制御及び受信波長制御を行う。制御部７１０は、制御部６１０と同様に、電圧判定部７２２から出力される信号に基づいて、波長可変送信部７１１による光送信信号の出力と停止とを切り替える制御を行う。制御部７１０は、波長ペアのリセットを指示する信号が電圧判定部７２２から出力されている場合、波長ペアの初期値を用いて送信波長及び受信波長を設定する。波長ペアの初期値には、例えば波長ペア（λｓ１、λｒ１）が定められる。
【００８７】
図２２は、第８の実施形態における入力端子７１５に入力される信号と光送信信号との関係の一例を示す波形図である。図２２において、縦軸は入力端子７１５に入力される信号の電圧と、光トランシーバモジュール７０１から出力される光送信信号の出力パワーとを示す。横軸は時間を示す。図２２に示す例は、バーストイネイブル信号がバースト制御信号として用いられている例である。
【００８８】
時刻ｔ８１から時刻ｔ８２までの期間において、入力端子７１５に３つの制御パルスが入力される。この期間における波長制御パルスカウント部７２１と制御部７１０との動作は、図１８に示した時刻ｔ７１から時刻ｔ７２までの期間における波長制御パルスカウント部６２１と制御部６１０との動作と同様の動作である。
【００８９】
制御パルスの入力が完了した後の時刻ｔ８３から時刻ｔ８４までの期間と、時刻ｔ８５から時刻ｔ８６までの期間とにおいて、ハイ・レベルの制御電圧が入力端子７１５に入力される。電圧判定部７２２は、入力端子７１５から入力される信号の電圧値がハイ・レベルであることを検出すると、バースト制御信号が入力されていると判定する。電圧判定部７２２は、判定結果に応じて、光送信信号の送信を指示する信号を制御部７１０へ出力する。制御部７１０は、電圧判定部７２２から出力される信号に応じて、波長可変送信部７１１に送信波長λｓ３を有する光送信信号を出力させる。
【００９０】
時刻ｔ８７において、リセット・レベルの制御電圧が入力端子７１５に入力される。電圧判定部７２２は、入力端子７１５から入力される信号の電圧値がリセット・レベルであることを検出すると、リセット信号が入力されていると判定する。電圧判定部７２２は、判定結果に応じて、波長ペアのリセットを指示する信号を制御部７１０へ出力する。制御部７１０は、電圧判定部７２２から出力される信号に応じて、波長ペアの初期値（λｓ１，λｒ１）を送信波長及び受信波長に設定する。以降、波長可変送信部７１１と波長可変受信部７１２とは、設定された波長（λｓ１，λｒ１）の光信号の送受信を行う。
【００９１】
図２２において、バースト制御信号としてバーストイネイブル信号が用いられる場合を示したが、バースト制御信号にバーストディスエイブル信号を用いてもよい。この場合、時刻ｔ８２から時刻ｔ８７までの期間における信号の電圧レベルは、図１９に示したように、バーストイネイブル信号の波形を反転した波形となる。
【００９２】
図２２に示した例では、バースト制御信号におけるハイ・レベルの電圧より高い電圧が、リセット信号におけるリセット・レベルの電圧に定められた場合を示した。しかし、電圧判定部７２２がハイ・レベルとリセット・レベルとを区別できれば、ハイ・レベルの電圧がリセット・レベルの電圧より高くてもよい。バースト制御信号を検出する動作と、リセット信号を検出する動作とを電圧判定部７２２が行う構成を説明したが、各動作に対して個別に判定部又は判定する回路を設けてもよい。
【００９３】
光トランシーバモジュール７０１によれば、入力端子７１５に備えられる１つのピンに、波長選択信号とリセット信号とバースト制御信号とを供給することができ、更なる小型化が図れる。光トランシーバモジュール７０１も、図２０に示したように、ＭＡＣ処理部６５０と接続して使用してもよい。光トランシーバモジュール７０１とＭＡＣ処理部６５０とを備える光送受信装置は、送受信の制御に対して入力ピンを追加することなく、上位装置の制御に従って光信号を送受信できる。
【００９４】
［第９の実施形態］
図２３は、第９の実施形態に係る光トランシーバモジュール８０１の構成を示すブロック図である。光トランシーバモジュール８０１は、制御部８１０、波長可変送信部８１１、波長可変受信部８１２、送受信波長合分波部８１３、入力端子８１５、パルスカウント部８２１、及びバースト制御電圧検出部８２２を備える。光トランシーバモジュール８０１は、第７の実施形態における光トランシーバモジュール６０１と同様に、入力端子８１５に入力されるバースト制御信号に応じて光送信信号の出力と停止とを切り替える。光トランシーバモジュール８０１は、第４の実施形態における光トランシーバモジュール３０１に、バースト制御信号による制御を加えた構成を有する。
【００９５】
光トランシーバモジュール８０１は、送受信波長合分波部８１３に接続された光ファイバ８１６を介して他の装置と光信号の送受信を行う。波長可変送信部８１１、波長可変受信部８１２及び送受信波長合分波部８１３は、第１の実施形態における波長可変送信部１１、波長可変受信部１２及び送受信波長合分波部１３と同じ動作を行う。光ファイバ８１６は、図１における光ファイバ１６と同様である。バースト制御電圧検出部８２２は、第７の実施形態におけるバースト制御電圧検出部６２２の動作と同様の動作を行う。
【００９６】
入力端子８１５は、１ピンを備える端子である。入力端子８１５に入力される制御信号は、パルスカウント部８２１とバースト制御電圧検出部８２２とへ供給される。
【００９７】
パルスカウント部８２１は、入力端子８１５に入力される信号におけるパルスの数をカウントする。パルスカウント部８２１がカウントの対象とするパルスには、波長制御用パルスとリセット用パルスとの２つの種類のパルスがある。２つの種類のパルスは、予め定められたパルス幅及び電圧値を有する。波長制御用パルスの電圧値とリセット用パルスの電圧値とは異なる。第９の実施形態では、リセット用パルスの電圧値が波長制御用パルスの電圧値より高い場合について説明する。なお、波長制御用パルスの電圧値がリセット用パルスの電圧値より高くてもよい。
【００９８】
波長制御用パルスとリセット用パルスとが組み合わされて入力端子８１５に入力されることはないため、パルスカウント部８２１は、波長制御用パルスとリセット用パルスとのいずれか一方のパルスを検出すると、検出したパルスの数をカウントする。入力端子８１５に入力される信号の電圧値が予め定められた期間に亘り一定である場合、パルスカウント部８２１は、カウント対象のパルスの入力が終了したと判定してもよい。パルスカウント部８２１は、カウントしたパルス数とカウントしたパルスの種類とを示す信号を制御部８１０に出力する。
【００９９】
制御部８１０は、パルスカウント部８２１から入力される信号に基づいて、波長ペアを選択する。制御部８１０は、第２の実施形態の送受波長制御部１１０と同様に、パルス数と波長ペアとの対応を示す波長テーブル（図３）を備える。なお、波長テーブルは、制御部８１０の外部に備えられてもよい。パルスカウント部８２１から入力される信号が示すパルスの種類が波長制御用パルスである場合、制御部８１０は、信号が示す波長制御用パルスの数に対応付けられた波長ペアを波長テーブルから選択し、送信波長制御及び受信波長制御を行う。
【０１００】
パルスカウント部８２１から入力される信号が示すパルスの種類がリセット用パルスである場合、制御部８１０は、波長ペアの初期値として予め定められている送信波長及び受信波長の組み合わせを用いて送信波長及び受信波長を設定する。波長ペアの初期値には、例えば波長ペア（λｓ１、λｒ１）が定められる。制御部８１０は、パルスの種別がリセット用パルスであり、かつ、パルス数が予め定められた数と一致した場合にのみ、波長ペアのリセットを行ってもよい。
【０１０１】
制御部８１０は、制御部６１０と同様に、バースト制御電圧検出部８２２から出力される信号に基づいて、波長可変送信部８１１による光送信信号の出力と停止とを切り替える制御を行う。
【０１０２】
図２４は、第９の実施形態における入力端子８１５に入力される信号と光送信信号との関係の一例を示す波形図である。図２４において、縦軸は入力端子８１５に入力される信号の電圧と、光トランシーバモジュール８０１から出力される光送信信号の出力パワーとを示す。横軸は時間を示す。図２４に示す例は、バーストイネイブル信号がバースト制御信号として用いられている例である。
【０１０３】
時刻ｔ９１から時刻ｔ９２までの期間において、入力端子８１５に３つの制御パルスが入力される。パルスカウント部８２１は、入力端子８１５に入力される信号の制御パルスが波長制御用パルスであることを検出すると、波長制御用パルスの数をカウントする。パルスカウント部８２１は、制御パルスが波長制御用パルスであること及びパルス数（３）を示す信号を制御部８１０へ出力する。制御部８１０は、パルスカウント部８２１から出力される信号が示すパルスの種類が波長制御用パルスであると判定すると、信号が示すパルス数（３）に対応する波長ペア（λｓ３，λｒ３）を波長テーブルから選択する。制御部８１０は、波長λｓ３を送信波長として波長可変送信部８１１に設定し、波長λｒ３を受信波長として波長可変受信部８１２に設定する。
【０１０４】
制御パルスの入力が完了した後の時刻ｔ９３から時刻ｔ９４までの期間におけるバースト制御電圧検出部８２２と制御部８１０と波長可変送信部８１１との動作は、図１８に示した時刻ｔ７３から時刻ｔ７４までの期間における波長制御パルスカウント部６２１と制御部６１０と波長可変送信部６１１との動作と同様の動作である。また、時刻ｔ９５から時刻ｔ９６までの期間におけるバースト制御電圧検出部８２２と制御部８１０と波長可変送信部８１１との動作は、時刻ｔ９３から時刻ｔ９４までの期間におけるそれぞれの動作と同様である。
【０１０５】
時刻ｔ９７以降に、リセット用パルスが入力端子８１５に入力される。パルスカウント部８２１は、入力端子８１５に入力される信号の制御パルスがリセット用パルスであると判定すると、リセット用パルスの数をカウントする。パルスカウント部８２１は、パルス数のカウントを終了すると、制御パルスの種類がリセット用パルスであること及びパルス数を示す信号を制御部８１０へ出力する。制御部８１０は、パルスカウント部８２１から出力される信号に応じて、波長ペアの初期値（λｓ１，λｒ１）を送信波長及び受信波長に設定する。以降、波長可変送信部８１１と波長可変受信部８１２とは、設定された波長（λｓ１，λｒ１）の光信号の送受信を行う。
【０１０６】
図２４において、バースト制御信号としてバーストイネイブル信号が用いられる場合を示したが、バースト制御信号にバーストディスエイブル信号を用いてもよい。この場合、時刻ｔ９２から時刻ｔ９７までの期間における制御信号の電圧レベルは、図１９に示したように、バーストイネイブル信号の波形を反転した波形となる。
【０１０７】
図２４に示した例では、波長制御用パルスの電圧より高い電圧が、リセット用パルスの電圧に定められた場合を示した。しかし、パルスカウント部８２１が、波長制御用パルスとリセット用パルスとを区別できれば、波長制御用パルスの電圧がリセット用パルスの電圧より高くてもよい。図２４に示した例では、波長制御用パルスの電圧と、バースト制御信号におけるハイ・レベルの電圧とが同じ場合を示した。しかし、バースト制御電圧検出部８２２がバースト制御信号を検出できれば、波長制御用パルスの電圧と、バースト制御信号におけるハイ・レベルの電圧とが同じでなくともよい。例えば、バースト制御信号におけるハイ・レベルの電圧と、リセット用パルスの電圧とが同じでもよい。波長制御用パルスをカウントする動作と、リセット用パルスをカウントする動作とをパルスカウント部８２１が行う構成を説明したが、各動作に対して個別のカウント部又はカウントする回路を設けてもよい。
【０１０８】
光トランシーバモジュール８０１によれば、入力端子８１５に備えられる１つのピンに、波長選択信号とリセット信号とバースト制御信号とを供給することができ、更なる小型化が図れる。光トランシーバモジュール８０１も、図２０に示したように、ＭＡＣ処理部６５０と接続して使用してもよい。光トランシーバモジュール８０１とＭＡＣ処理部６５０とを備える光送受信装置は、送受信の制御に対して入力ピンを追加することなく、上位装置の制御に従って光信号を送受信できる。
【０１０９】
第１から第９の実施形態における波長可変送信部１１、１１１、２１１、３１１、４１１、５１１、６１１、７１１、８１１は、光トランシーバモジュール１、１０１、２０１、３０１、４０１、５０１、６０１、７０１、８０１の外部から供給される電気信号を用いてＬＤ（Laser Diode）を駆動することにより、電気信号を光送信信号に変換してもよい。あるいは、波長可変送信部１１、１１１、２１１、３１１、４１１、５１１、６１１、７１１、８１１は、ＬＤから発せられる局発光の位相、振幅及び偏波面の少なくとも一つを、外部から供給される電気信号で変化させる変調を行い、電気信号を光送信信号に変換してもよい。ＬＤを用いる場合及び変調を行う場合のいずれにおいても、波長可変送信部１１、１１１、２１１、３１１、４１１、５１１、６１１、７１１、８１１は、送信波長に設定された波長を有する光送信信号を出力する。
【０１１０】
第１から第９の実施形態における波長可変受信部１２、１１２、２１２、３１２、４１２、５１２、６１２、７１２、８１２は、送受信波長合分波部１３、１１３、２１３、３１３、４１３、５１３、６１３、７１３、８１３を介して供給される波長ごとの光受信信号のうち、受信波長に設定された波長の光受信信号を電気信号に変換してもよい。分波には、例えば回折格子や波長フィルタなどが用いられる。あるいは、波長可変受信部１２、１１２、２１２、３１２、４１２、５１２、６１２、７１２、８１２は、供給される光受信信号を電気信号に変換し、受信波長に設定された波長に対応する信号を電気信号から抽出してもよい。波長可変受信部１２、１１２、２１２、３１２、４１２、５１２、６１２、７１２、８１２は、取得した電気信号を光トランシーバモジュール１、１０１、２０１、３０１、４０１、５０１、６０１、７０１、８０１の外部へ出力する。
【０１１１】
第１から第９の実施形態における送受信波長合分波部１３、１１３、２１３、３１３、４１３、５１３、６１３、７１３、８１３には、例えば光カプラや光スプリッタが用いられる。光トランシーバモジュール１、１０１、２０１、３０１、４０１、５０１、６０１、７０１、８０１は、送受信波長合分波部１３、１１３、２１３、３１３、４１３、５１３、６１３、７１３、８１３を備えずともよい。光トランシーバモジュール１、１０１、２０１、３０１、４０１、５０１、６０１、７０１、８０１が送受信波長合分波部１３、１１３、２１３、３１３、４１３、５１３、６１３、７１３、８１３を備えない場合、光トランシーバモジュール１、１０１、２０１、３０１、４０１、５０１、６０１、７０１、８０１には、光受信信号が光ファイバ１６、１１６、２１６、３１６、４１６、５１６、６１６、７１６、８１６から入力される入力ポートと、光送信信号を光ファイバ１６、１１６、２１６、３１６、４１６、５１６、６１６、７１６、８１６へ出力する出力ポートとが備えられる。入力ポートに入力される光受信信号は、波長可変受信部１２、１１２、２１２、３１２、４１２、５１２、６１２、７１２、８１２へ供給される。波長可変送信部１１、１１１、２１１、３１１、４１１、５１１、６１１、７１１、８１１から出力される光送信信号が、出力ポートへ供給される。
【０１１２】
第２から第６の実施形態において説明した光送受信器としての光トランシーバモジュール１０１、２０１、３０１、４０１、５０１は、光送信信号を送信する波長可変送信部１１１、２１１、３１１、４１１、５１１と、光受信信号を受信する波長可変受信部１１２、２１２、３１２、４１２、５１２と、送信波長と受信波長との複数の組み合わせを記憶する波長テーブル又は送受波長選択テーブル５２２と、波長選択信号が入力される入力端子１１５、２１５、３１５、４１５、５１５と、波長可変送信部１１１、２１１、３１１、４１１、５１１及び波長可変受信部１１２、２１２、３１２、４１２、５１２を制御する送受波長制御部１１０、２１０、３１０、４１０、５１０（以下「制御部」という）とをそれぞれ備える。第７から第９の実施形態において説明した光送受信器としての光トランシーバモジュール６０１、７０１、８０１は、光送信信号を送信する波長可変送信部６１１、７１１、８１１と、光受信信号を受信する波長可変受信部６１２、７１２、８１２と、送信波長と受信波長との複数の組み合わせを記憶する波長テーブルと、波長選択信号が入力される入力端子６１５、７１５、８１５と、波長可変送信部６１１、７１１、８１１及び波長可変受信部６１２、７１２、８１２を制御する制御部６１０、７１０、８１０とをそれぞれ備える。制御部１１０、２１０、３１０、４１０、５１０、６１０、７１０、８１０が、波長選択信号に基づいて波長テーブル又は送受波長選択テーブル５２２から送信波長及び受信波長の組み合わせを選択し、選択した送信波長を光送信信号の波長として波長可変送信部１１１、２１１、３１１、４１１、５１１、６１１、７１１、８１１に設定する送信波長制御と、選択した受信波長を光受信信号の波長として波長可変受信部１１２、２１２、３１２、４１２、５１２、６１２、７１２、８１２に設定する受信波長制御との２つの制御を行う。このように構成された光トランシーバモジュール１０１、２０１、３０１、４０１、５０１、６０１、７０１、８０１によれば、１つの入力端子１１５、２１５、３１５、４１５、５１５、６１５、７１５、８１５を用いて送信波長及び受信波長の組み合わせを選択することができ、送受信する光信号に対する制御に用いる端子数を削減できる。
【０１１３】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１１４】
本発明は、送受信する光信号に対する制御に用いる端子数を削減することが不可欠な用途に適用できる。
【符号の説明】
【０１１５】
１，１０１，２０１，３０１，４０１，５０１，６０１，７０１，８０１…光トランシーバモジュール，  １０，１１０，２１０，３１０，４１０，５１０…送受波長制御部，  １１，１１１，２１１，３１１，４１１，５１１，６１１，７１１，８１１…波長可変送信部，  １２，１１２，２１２，３１２，４１２，５１２，６１２，７１２，８１２…波長可変受信部，  １５，１１５，２１５，３１５，４１５，５１５，６１５，７１５，８１５…入力端子，  １２１，２２１，３２１，６２１，７２１…波長制御パルスカウント部，  ２２２…リセット電圧検出部，  ３２２…リセットパルス検出部，  ４２１，５２１…波長制御電圧判定部，  ５２２…送受波長選択テーブル，  ６１０，７１０，８１０…制御部，  ６２２，８２２…バースト制御電圧検出部，  ６５０…ＭＡＣ処理部，  ７２２…電圧判定部，  ８２１…パルスカウント部
【図１】
2017221878.tif 000003
【図２】
2017221878.tif 000004
【図３】
2017221878.tif 000005
【図４】
2017221878.tif 000006
【図５】
2017221878.tif 000007
【図６】
2017221878.tif 000008
【図７】
2017221878.tif 000009
【図８】
2017221878.tif 000010
【図９】
2017221878.tif 000011
【図１０】
2017221878.tif 000012
【図１１】
2017221878.tif 000013
【図１２】
2017221878.tif 000014
【図１３】
2017221878.tif 000015
【図１４】
2017221878.tif 000016
【図１５】
2017221878.tif 000017
【図１６】
2017221878.tif 000018
【図１７】
2017221878.tif 000019
【図１８】
2017221878.tif 000020
【図１９】
2017221878.tif 000021
【図２０】
2017221878.tif 000022
【図２１】
2017221878.tif 000023
【図２２】
2017221878.tif 000024
【図２３】
2017221878.tif 000025
【図２４】
2017221878.tif 000026
【国際調査報告】
2017221878.tif 000027
2017221878.tif 000028
2017221878.tif 000029
2017221878.tif 000030